(57)【要約】【課題】光学フィルムの蛍光化合物はＵＶ光源から発光されたＵＶ光によって励起されて、均一に分布したプレーナ型光を形成し、これによって、発光効率が各視野角に整合して、視野角が広くなり得る発光装置を提供することである。【解決手段】本考案は、紫外（ＵＶ）光光源と蛍光拡散シートとを有するプレーナ型発光装置例えば、バックライトモジュールである。蛍光拡散シートはＵＶ光源からのＵＶ光によって励起され、ＵＶ光を可視光に変換し、これによって、発光する光が均一に分布するプレーナ型光源を形成する。【選択図】図１
0003128068.tif 000002
【実用新案登録請求の範囲】
【請求項１】
ＵＶ光を発光する紫外（ＵＶ）光源と；
蛍光化合物を有する光学フィルムと；を備え、
前記光学フィルムの前記蛍光化合物はＵＶ光によって励起され、ＵＶ光は少なくとも一の特定の波長の光に変換されて光源を形成する発光装置。
【請求項２】
前記ＵＶ光源は少なくとも一のＵＶ冷陰極蛍光ランプ（ＣＣＦＬ）又は一のＵＶ薄膜を備える請求項１に記載の発光装置。
【請求項３】
前記の少なくとも一の特定の波長の光は４００ｎｍから７６０ｎｍの波長範囲の可視光である請求項１に記載の発光装置。
【請求項４】
導光板と；
該導光板の底部に形成された複数の反射ドットと；
前記導光板の上方に配置する蛍光拡散シートと；
前記導光板の一の側に配置するＵＶ光源と；を備え、
前記ＵＶ光源はＵＶ光を発光し、ＵＶ光は導光板を介してガイドされ、複数の反射ドットによって反射されて前記蛍光拡散シートを励起し、蛍光拡散シートは少なくとも一の特定の波長の光を放出するサイド光型バックライトモジュール。
【請求項５】
前記反射ドットはプリント法によって形成された請求項４に記載のサイド光型バックライトモジュール。
【請求項６】
さらに、ＵＶ光の一部が反射して導光板に戻るように、前記導光板の下方に配置する反射シートを備えた請求項４に記載のサイド光型バックライトモジュール。
【請求項７】
前記反射シートは金属反射シートである請求項６に記載のサイド光型バックライトモジュール。
【請求項８】
前記ＵＶ光源が少なくとも一のＵＶ ＣＣＦＬ又は一のＵＶ薄膜を備える請求項４に記載のサイド光型バックライトモジュール。  
【請求項９】
前記の少なくとも一の特定の波長の光は４００ｎｍから７６０ｎｍの波長範囲の可視光である請求項４に記載のサイド光型バックライトモジュール。
【請求項１０】
蛍光拡散シートと；
前記蛍光拡散シートの下方に配置し、該蛍光拡散シートを励起するようにＵＶ光を発光するＵＶ光源と；を備え、前記蛍光拡散シートは少なくとも一の特定の波長の光を発光する直接型バックライトモジュール。
【請求項１１】
前記ＵＶ光源はバックプレートに固定されている請求項１０に記載の直接型バックライトモジュール。
【請求項１２】
前記ＵＶ光源が少なくとも一のＵＶ ＣＣＦＬ又は一のＵＶ薄膜を備える請求項１０に記載の直接型バックライトモジュール。
【請求項１３】
ＵＶ光の一部が反射して前記蛍光拡散シートに戻るように、さらにＵＶ光源に対面する前記バックプレートの面に配置する反射シートを備える請求項１１に記載の直接型バックライトモジュール。
【請求項１４】
前記反射シートは金属反射シートである請求項１３に記載の直接型バックライトモジュール。
【請求項１５】
前記の少なくとも一の特定の波長の光は４００ｎｍから７６０ｎｍの波長範囲の可視光である請求項１０に記載の直接型バックライトモジュール。
【請求項１６】
ＵＶ光を放射するのに用いられるＵＶ薄膜と；
該ＵＶ薄膜上に配置し、ＵＶ光を吸収して少なくとも一の特定の波長の光を励起する蛍光拡散シートと；を備えたバックライトモジュール。
【請求項１７】
前記ＵＶ薄膜はポリマーＵＶ薄膜である請求項１６に記載のバックライトモジュール。
【請求項１８】
前記ポリマーＵＶ薄膜は基板と、正極層と、ホール注入層と、ホール輸送層と、発光層と、電子輸送層と、負極層とを順に有する請求項１７に記載のバックライトモジュール。
【請求項１９】
前記正極層はインジウム錫酸化物（ＩＴＯ）である請求項１８に記載のバックライトモジュール。
【請求項２０】
前記負極層は金属コンポジット材料を備えた請求項１８に記載のバックライトモジュール。
【請求項２１】
前記発光層はポリマー発光層である請求項１８に記載のバックライトモジュール。
【請求項２２】
所定の電流を前記ＵＶ薄膜に流すと、前記正極層がホールを生成すると共に前記負極層が電子を生成し、前記ホール輸送層と前記電子輸送層とを介して前記ホールと前記電子がそれぞれ前記発光層に入って結合し、過剰なエネルギーが放出されて前記発光層を励起してＵＶ光を生成する請求項１８に記載のバックライトモジュール。
【請求項２３】
前記の少なくとも一の特定の波長の光は４００ｎｍから７６０ｎｍの波長範囲の可視光である請求項１６に記載のバックライトモジュール。
【考案の詳細な説明】
【技術分野】
【０００１】
本考案はプレーナ型発光装置であり、特に、ディスプレイ用バックライトモジュールに関するものである。
【背景技術】
【０００２】
図１に従来のサイド光型のバックライトモジュール１を示す。ランプ反射マスク１２と冷陰極蛍光ランプ（ＣＣＦＬ）１３とからなる光源を導光板１１の側部に装備する。光が導光板１１に入った後、光は反射ドット１１ａ及び反射シート１５を介して一様に反射され、光学フィルム１４による拡散収束効果を受けて、一様に分布した光源を形成することになる。このようなバックライトモジュールについて、プリントドットは光をガイドするために、前記導光板の底部に配備される必要があり、また、種々の光学フィルム例えば、プリズムシートや拡散シートは放出された光の明度が最終的に整合できるように前記導光板の頂部を覆う必要がある。この構成はコスト高というだけでなく、視野角（ビューイングアングル）及び均一性が小さいという問題を有する。
【０００３】
他の公知技術である直接型バックライトモジュールを図２に示す。ＣＣＦＬ２２及びランプマウントアセンブリ２４からなる光源は発光領域に直接装備され、反射シート２３及び拡散プレート２１と合わせて一様な光源をなす。ランプマウントアセンブリ２４はＣＣＦＬ２２をバックプレート２５に固定し、反射シート２３はＣＣＥＬ２２に対面するバックプレート２５の面上に備える。このような構成は多くの光源を備えて明度を改善し得る。しかしながら、光源を発光領域に直接装備するので、光源と低透過性のポリマー薄プレート（図示せず）の前に広いスペースを必要とし、所定の強度（例えば、材料の耐柔軟性）を利用して光源をカバーし、均一に分布しない発光を抑制しかつ表面強度を提供するために光を拡散する発光拡散要素を配備する。
【考案の開示】
【考案が解決しようとする課題】
【０００４】
前記従来技術では明度が大きくエンハンスされる。しかしながら、不均一分布の発光を防止し、強度要求を考慮して、低透過性でかつ所定の強度を有するポリマー薄板（プレート）は大部分の光をカバーし、必要とされるより多くの光源が通常使用のための明度を提供するようにし、さらに、電力消費及び熱散逸の問題を生ずる。
【課題を解決するための手段】
【０００５】
本考案は、ＵＶ光源及び蛍光化合物を有する光学フィルムを備えたプレーナ型発光装置を提供する。ここで、蛍光化合物はＵＶ光源からのＵＶ光によって励起されてＵＶ光が可視光に変換され、これによって、発光された光が均一に分布するプレーナ型光源を構成する。
【０００６】
本考案の一の目的は、光学フィルムの蛍光化合物はＵＶ光源から発光されたＵＶ光によって励起され得て、均一に分布したプレーナ型光を形成し、これによって、発光効率が各視野角に整合し、従って、視野角が広くなり得る。
【０００７】
本考案の他の目的は、光学フィルムの蛍光化合物はＵＶ光源から発光されたＵＶ光によって励起され得て、均一に分布したプレーナ型光を形成し、これによって、発光効率が各視野角に整合し、従って、均一性がエンハンスされ得る。
【０００８】
本考案の他の目的は、光学フィルムの蛍光化合物は光源から発光されたＵＶ光によって励起され得て、電力消費及び熱散逸の問題を改善するために、さらなる光源を必要とせずに均一に分布したプレーナ型光を形成して、通常使用のための明度を生成し得る。
【考案を実施するための最良の形態】
【０００９】
図３では、第１実施形態のサイド光型バックライトモジュール３は導光板３１を有する。多数の反射ドット３１ａが例えば、プリント法（印刷方式）によって、導光板３１の底部に形成する。次いで、銀反射シート３５を導光板３１の下方に備える。蛍光拡散シート３４を導光板３１の上面に備える。ランプ反射マスク３２を導光板３１の側部に備え、少なくとも一のＵＶ ＣＣＦＬ３３を反射マスク３２の内部に備える。ＵＶ ＣＣＦＬ３３をオンにした後、ＵＶ光が励起され得、導光板３１によってガイドされ、反射ドット３１ａによって反射されて、蛍光拡散シート３４を励起して、可視光例えば、白色光を均一に発光し得る。銀反射シート３５はＵＶ光を作ることができ、この光は導光板３１から放射され、非発光面に向かい、導光板３１に反射して戻され、次いで蛍光拡散シート３４へ向かい、これによって一様なプレーナ型光源を形成する。
【００１０】
図４では、第２実施形態の直接型バックライトモジュール４は蛍光拡散シート４１を有する。このシートの下方には、少なくとも一のＵＶ ＣＣＦＬ４２を備える。ＵＶ ＣＣＦＬ４２の２つの端部には、ランプマウントアセンブリ４４を備えて、ＵＶ ＣＣＦＬ４２をバックプレート４５上に保持する。ＣＣＦＬ４２の面に対面するバックプレート４５の面上には、銀反射シート４３を備える。ＵＶ ＣＣＦＬ４２をオンにし、ＵＶ光を放出した後、蛍光拡散シート４１は励起されて、可視光例えば、白色光を均一に発光し得る。銀反射シート４３は（ＵＶ ＣＣＦＬ４２から放射され、非発光面に向かい、蛍光拡散シート４１に反射して戻され、次いで蛍光拡散シート４１へ向かいこれによって一様なプレーナ型光源を形成する）ＵＶ光を作ることができる。
【００１１】
図５に、第３実施形態のバックライトモジュールを示す。このバックライトモジュールは、ポリマーＵＶ薄膜５１と蛍光拡散シート５２を備える。ポリマーＵＶ薄膜５１は基板５１ａと正極層５１ｂと負極層５１ｃとを備え、正極層５１ｂはインジウム錫酸化物（ＩＴＯ）の透明薄層からなり得、負極層５１ｃは金属コンポジット材料からなり得る。２つの電極層間には、ホール注入層５１ｄと、ホール輸送層５１ｅと、ポリマー発光層５１ｆと、電子輸送層とを備える。適度な電流がポリマーＵＶ薄膜５１に流れると、正極層５１ｂはホールを生成し、負極層５１ｃは電子を生成する。ホールと電子がホール輸送層５１ｅ及び電子輸送層５１ｇを介してそれぞれポリマー発光層５１ｆに入って結合すると、電子は不安定なエネルギー準位から初期のエネルギー準位に戻って、過剰なエネルギーを放出してポリマー発光層５１ｆにおける有機材料を励起して、ＵＶ光を生成する。この有機材料は通常、共役結合の分子結合を含む共役ポリマー材料であり、電気伝導を示す。正極層５１ｂを介して、ＵＶ光が、ポリマーＵＶ薄膜５１からのＵＶ光を吸収して励起され均一に可視光を発光する蛍光拡散シート５２へ放出される。可視光の波長は通常、４００ｎｍから７６０ｎｍである。
【００１２】
さらに、ポリマーＵＶ薄膜５１は図３で示したような第１実施形態、及び図４で示したような第２実施形態のＵＶ ＣＣＦＬと置換してＵＶ光を生成することができる。
【００１３】
本考案を上述のような実施形態の詳細な説明によって開示したが、本考案はこれに限定されない；本考案は、その精神及びカテゴリーの範囲内で変形・改良し得るものである。本考案が対象とする分野は実用新案登録請求の範囲において画定する。
【図面の簡単な説明】
【００１４】
【図１】サイド光型バックライトモジュールの概略側面図である。
【図２】直接型バックライトモジュールの概略斜視図である。
【図３】本考案のＵＶサイド光型バックライトモジュールの実施形態の概略構成図である。
【図４】本考案のＵＶ直接型バックライトモジュールの実施形態の概略構成図である。
【図５】本考案のプレーナ型ＵＶバックライトモジュールの実施形態の概略構成図である。
【符号の説明】
【００１５】
３  サイド光型バックライトモジュール
３１  導光板
３１ａ  反射ドット
３２  反射マスク
３３  ＵＶ ＣＣＦＬ
３４  蛍光拡散シート
３５  銀反射シート
４  直接型バックライトモジュール
４１  蛍光拡散シート
４２  ＵＶ ＣＣＦＬ
４３  銀反射シート
４４  ランプマウントアセンブリ
４５  バックプレート
５１  ポリマーＵＶ薄膜
５１ａ  基板
５１ｂ  正極層
５１ｃ  負極層
５１ｄ  ホール注入層
５１ｅ  ホール輸送層
５１ｆ  ポリマー発光層
５１ｇ  電子輸送層
５２  蛍光拡散シート
【図１】
0003128068.tif 000003
【図３】
0003128068.tif 000004
【図５】
0003128068.tif 000005
【図２】
0003128068.tif 000006
【図４】
0003128068.tif 000007